(57)【要約】【課題】吸収性物品の着用時にフラップ部を所望の形状に一時的に保持することで、フラップ部の折れやめくれを防止し、着用が容易な吸収性物品を提供すること。【解決手段】吸収性本体１０及びその両側部に幅方向外方に延出するフラップ部５を具備する吸収性物品１であって、フラップ部５には、形状保持材８が配されており、形状保持材８は、線状の部材であり、フラップ部５の幅方向に配されている。【選択図】図１
2008161527.tif 000002
【特許請求の範囲】
【請求項１】
吸収性本体及びその両側部に幅方向外方に延出するフラップ部を具備する吸収性物品であって、
前記フラップ部には、形状保持材が配されており、
前記形状保持材は、線状の部材であり、前記フラップ部の幅方向に配されている吸収性物品。
【請求項２】
前記吸収性本体は、液透過性の表面シート、液不透過性又は撥水性の裏面シート及び両シート間に介在された液保持性の吸収体を具備しており、
前記形状保持材は、該吸収体と重なる部分を有するように配されている請求項１記載の吸収性物品。
【請求項３】
前記形状保持材は、前記吸収性物品の幅方向に略平行に複数本配されている請求項１又は２記載の吸収性物品。
【請求項４】
複数本の前記形状保持材それぞれの一端は、前記吸収性本体と接合されている請求項３記載の吸収性物品。
【請求項５】
複数本の前記形状保持材は、互いに連結されておらず、閉鎖構造を形成していない請求項３又は４記載の吸収性物品。
【請求項６】
前記形状保持材は、その太さが一端から他端に向けて細くなっており、太い該一端が前記吸収性本体に配され、該他端が前記フラップ部の幅方向外方に配されている請求項１ないし５の何れかに記載の吸収性物品。
【請求項７】
前記フラップ部に止着手段を備えた展開型使い捨ておむつである請求項１ないし６の何れかに記載の吸収性物品。
【請求項８】
生理用ナプキン又は失禁パッドである請求項１ないし６の何れかに記載の吸収性物品。
【請求項９】
前記形状保持材は、それを９０度折り曲げたときの戻り角度が１０度以下である請求項１ないし８の何れかに記載の吸収性物品。
【発明の詳細な説明】
【技術分野】
【０００１】
本発明は、使い捨ておむつ、生理用ナプキン、失禁パッド等の吸収性物品に関する。
【背景技術】
【０００２】
従来、展開型使い捨ておむつにおいては、縦長の吸収性本体の長手方向の一端に、幅方向外方に延出する一対のフラップ部が設けられたものが知られている。このような展開型使い捨ておむつは、フラップ部の側縁部に設けられた止着手段を吸収性本体の長手方向の他端の外面に固定し、着用形態を形成して使用される。
同様に、生理用ナプキンにおいても、縦長の吸収性本体の両側部に、幅方向外方に延出するフラップ部が設けられたものが知られている。生理用ナプキンに設けられるフラップ部としては、長手方向中央部に設けられ、着用時に下着のクロッチ部の外面側に折り曲げて生理用ナプキンを下着に固定するためのウイング部や、長手方向後方部に設けられ、折り返されることなく下着に固定される後方フラップ等がある。
【０００３】
こうしたいわゆる吸収性物品のフラップ部は、吸収性物品の包装時には折り畳まれており、着用時に一旦広げてから使用されるが、フラップ部は通常、剛性が小さいため、着用作業中に折れたり曲がったりしやすく、また、意図しない部分に固定されてしまうことがあった。また、着用後、吸収性物品を取り外す場面においても同様のことが起こるため、フラップ部が排泄物に接触してしまうこともあった。
【０００４】
一方、特許文献１及び２においては、簾状又はネット状の構造物を形状保持材として吸収性物品に組み込むことが提案されている。また、特許文献３には、特定値以上の弾性を有する樹脂シートを形状保持材としておむつの吸収体に組み込むことが提案されている。
【０００５】
【特許文献１】特開平８−７２１号公報
【特許文献２】特開２００３−１１３５７２号公報
【特許文献３】特開２００５−１１８４４７号公報
【発明の開示】
【発明が解決しようとする課題】
【０００６】
しかし、特許文献１及び２記載の形状保持材は、簾状又はネット状といった閉鎖構造を形成しているため、保形性には優れるが、着用後の身体の動きに追従しにくいという問題があった。また、特許文献３記載の形状保持材は、弾性が高く、柔軟性に欠けるという問題があった。そのため、特許文献１〜３記載の形状保持材は、吸収性物品のフラップ部の構成材料としては適していない。
【０００７】
従って、本発明の目的は、吸収性物品の着用時にフラップ部を所望の形状に一時的に保持することで、フラップ部の折れやめくれを防止し、着用が容易な吸収性物品を提供することにある。
【課題を解決するための手段】
【０００８】
本発明は、吸収性本体及びその両側部に幅方向外方に延出するフラップ部を具備する吸収性物品であって、前記フラップ部には、形状保持材が配されており、前記形状保持材は、線状の部材であり、前記フラップ部の幅方向に配されている吸収性物品を提供することにより、上記目的を達成したものである。
【発明の効果】
【０００９】
本発明の吸収性物品によれば、フラップ部に配された形状保持材が、線状の部材であり、フラップ部の幅方向に配されているため、吸収性物品の着用時にフラップ部を所望の形状に一時的に保持でき、着用が容易となる。
【発明を実施するための最良の形態】
【００１０】
以下、本発明の吸収性物品について、その好ましい一実施形態である第１実施形態に基づき図面を参照しながら説明する。
第１実施形態の吸収性物品は、展開型使い捨ておむつであり、図１〜図３に示すように、吸収性本体１０及び該吸収性本体１０の両側部に幅方向外方に延出するフラップ部５を有している。フラップ部５には、線状の部材からなる形状保持材８が配されている。該形状保持材８は、フラップ部５の形状を一時的に所望の形状に保持するように、該フラップ部５の幅方向に亘って配されている。
尚、線状の部材とは、その長手方向に延びた構造を有する部材をいい、その断面形状は、円形に限られず、楕円形、三角形、正方形、長方形等であってもよい。
【００１１】
第１実施形態の展開型使い捨ておむつ１について更に説明すると、吸収性本体１０は、図３に示すように、液透過性の表面シート２、液不透過性又は撥水性の裏面シート３及び両シート２，３間に介在された液保持性の吸収体４を具備し、実質的に縦長に形成されている。
また、展開型使い捨ておむつ１は、図１に示すように、その長手方向に、着用時に着用者の腹側に配される腹側部Ａ、着用者の股間部に配される股下部Ｂ及び着用者の背側に配される背側部Ｃに区分される。
【００１２】
展開型使い捨ておむつ１は、図１に示すように、全体として長手方向中央部が幅方向内方に括れた砂時計状の形状を有している。表面シート２及び裏面シート３は、それぞれ吸収体４の肌当接面側の全面及び非肌当接面側の全面を覆っており、吸収体４の周縁から延出している。また、表面シート２は、図３に示すように、その幅が裏面シート３よりも狭くなっている。吸収体４は、図１に示すように、縦長の形状を有し、その長手方向の中央部が幅方向内方に括れている。
【００１３】
吸収性本体１０の長手方向両側部には、表面シート２を介して一対のサイドシート６２，６２が配されている。一対の該サイドシート６２，６２は、吸収性本体１０の肌当接面側の両側部を長手方向全域に亘って覆っている。一対のサイドシート６２，６２は、図３に示すように、吸収性本体１０の両側部の幅方向外方において表面シート２と接合され、固定部６３を形成している。固定部６３は、長手方向に直線状に延びて形成されている。一対のサイドシート６２，６２の内端は、図３に示すように、自由端となっている。股下部Ｂにおける自由端近傍には立体ギャザー形成用の弾性部材６１が伸長状態で固定されており、着用時には、一対の立体ギャザーが形成される。
【００１４】
固定部６３の幅方向外方においては、幅方向外方に延出したサイドシート６２と裏面シート３とが接合され、一対のレッグフラップ７，７が形成されている。一対のレッグフラップ７，７における股下部Ｂの幅方向外端近傍には、レッグギャザー形成用の弾性部材７１が伸長状態で固定されており、着用時にはレッグギャザーが形成される。
【００１５】
腹側部Ａの長手方向の両側部には、一対のフラップ部（以下、「腹側サイドフラップ部」ともいう）５Ａ，５Ａが形成されている。背側部Ｃの長手方向の両側部にも、一対のフラップ部（以下、「背側サイドフラップ部」ともいう）５Ｃ，５Ｃが形成されている。腹側サイドフラップ部５Ａ及び背側サイドフラップ部５Ｃの肌当接面側及び非肌当接面側は、それぞれ、サイドシート６２及び裏面シート３から形成されている。
ここで、腹側サイドフラップ部５Ａは、腹側部Ａにおいて吸収性本体１０の両側縁よりも幅方向外方に延出している部分をいい、背側サイドフラップ部５Ｃは、背側部Ｃにおいて吸収性本体１０の両側縁よりも幅方向外方に延出している部分をいう。
【００１６】
一対の背側サイドフラップ部５Ｃ，５Ｃの両側縁部には、それぞれ止着手段９が設けられている。第１実施形態においては、止着手段９としてファスニングテープが用いられている。ファスニングテープ９は、基材シート９１の内面に面状の止着材９２が接合されて構成されている。ファスニングテープ９は、図２に示すように、その一方の端部が、サイドシート６２と裏面シート３との間に挟持され、固定されている。
【００１７】
一対の背側サイドフラップ部５Ｃ，５Ｃには、形状保持材８が配されている。形状保持材８は、図１に示すように、一対の背側サイドフラップ部５Ｃ，５Ｃそれぞれの幅方向のほぼ全域に亘って、おむつの幅方向に略並行に複数本配されている。第１実施形態においては、形状保持材８は、一対の背側サイドフラップ部５Ｃ，５Ｃそれぞれに４本ずつ配されている。複数の形状保持材８それぞれのおむつ幅方向内方に位置する一端は、吸収性本体１０における吸収体４の両側部と重なっている。複数の形状保持材８それぞれのおむつ幅方向外方に位置する他端は、一対の背側サイドフラップ部５Ｃ，５Ｃの側縁部近傍まで延びている。複数の形状保持材８は、その太さが幅方向内方に位置する一端から幅方向外方に位置する他端に向けて細くなっている。また、複数の形状保持材８は、互いに連結されていない。
【００１８】
形状保持材８は、背側サイドフラップ部５Ｃにおいては、サイドシート６２と裏面シート３との間に配されており、吸収性本体１０の両側部においては、吸収体４と裏面シート３との間に配されている。形状保持材８の幅方向内方に位置する一端は、吸収性本体１０の両側部において吸収体４及び裏面シート３に接合されている。また、形状保持材８の幅方向外方に位置する他端は、背側サイドフラップ部５Ｃ，５Ｃにおいてサイドシート６２及び裏面シート３に接合されている。この接合には、熱シールや、接着剤（特にホットメルト）等が用いられる。吸収体４を接合する場合には、接着剤が好ましく用いられ、これをビードコーターやスパイラルコーターやスプレーコーター、ロールコーターなどで全面的に、又は必要なパターンで塗工する。
【００１９】
形状保持材８は、裏面シート３のみと又は吸収体４のみと接合されていてもよい。形状保持材８は、形状保持性や取り扱い性、また構造強度を構成する点で吸収性物品の構成材料（特にフラップ部）と接合されていることが好ましい。ただし、位置ズレ等の問題を生じなければ、形状保持材８は、裏面シート３及び吸収体４等の構成材料と接合されていなくてもよい。
【００２０】
一対の背側サイドフラップ部５Ｃ，５Ｃには、複数本のフラップ弾性部材６４がおむつの幅方向に沿って配されている。フラップ弾性部材６４は、図１に示すように、隣接する形状保持材８の間におむつ幅方向に沿って形状保持材８と略並行に配されている。フラップ弾性部材６４は、伸長状態においてサイドシート６２及び裏面シート３と接合されている。
【００２１】
一対の背側サイドフラップ部５Ｃ，５Ｃにおいては、サイドシート６２と裏面シート３とは、おむつの長手方向及び幅方向に亘って間欠的に接合され、多数の接合部を形成している。複数の形状保持材８は、これらの接合部を通らないように配されている。一方、フラップ弾性部材６４は、間欠的に形成された前記接合部において、サイドシート６２及び裏面シート３と接合されている。
【００２２】
即ち、形状保持材８は、その大部分（幅方向外方に位置する他端以外）が、一対の背側サイドフラップ部５Ｃ，５Ｃにおいて、裏面シート３及びサイドシート６２とは接合されていない。一方、複数本のフラップ弾性部材６４は、前記接合部においてサイドシート６２及び裏面シート３と接合されている。
そのため、一対の背側サイドフラップ部５Ｃ，５Ｃは、形状保持材８の存在によって、その幅方向への動きを阻害されることなく、複数本のフラップ弾性部材６４の伸縮に追従して伸縮性を有する。
【００２３】
形状保持材８は、線状の部材であり、所望の形状に折り曲げることができる。また、形状保持材８は、それを９０度折り曲げたときの戻り角度が１０度以下であることが好ましく、５度以下であることが更に好ましい。ここで「９０度折り曲げたときの戻り角度」とは、直線状の形状保持材８を９０度折り曲げた後、４時間静置し、その時点における形状保持材８についての９０度折り曲げた状態からの戻り角度をいう。９０度折り曲げたときの戻り角度が小さいことは、形状保持材８の形状を所望の形状に容易に変えることが可能であると共に、元の形状に戻るための戻り弾性が小さいことを示している。そのため、所望の形状に一旦変形した後にも、小さな力で容易に変形し、おむつ着用後の違和感を軽減できる。
【００２４】
このような形状保持材８としては、例えば、特開２００４−２６３３２６号公報に記載の形状保持性複合繊維を用いることができる。
形状保持性複合繊維としては、例えば、芯鞘構造を有する複合延伸物が挙げられる。このような複合延伸物の芯材としては、鞘材の原料である熱可塑性樹脂よりも高い融点を有するものが好ましく、例えば、ポリオレフィン（ポリエチレン、ポリプロピレン、ポリ４−メチル−１−ペンテン、ポリブテン等）、ポリエステル（ポリエチレンテレフタレート、ポリブチレンテレフタレート、ポリ乳酸等）、ポリアミドが挙げられる。
鞘材としては、芯材よりも融点の低いものが好ましく、例えば、ポリオレフィン（ポリエチレン、ポリプロピレン、ポリブテン、エチレン・α−オレフィン共重合体、プロピレン・α−オレフィン共重合体、ブテン・α−オレフィン共重合体等）、ポリエステル共重合体、エチレン・酢酸ビニル共重合体、エチレン・（メタ）アクリル酸エステル共重合体、エチレン・（メタ）アクリル酸共重合体が挙げられる。
【００２５】
また、形状保持材８として、再公表ＷＯ２００４／１０６６００公報に記載されているような熱可塑性樹脂フィラメントを用いることもできる。
熱可塑性樹脂フィラメントの原料としては、ポリオレフィン（ポリエチレン、ポリプロピレン、ポリ４−メチル−１−ペンテン、ポリブテン等）、ポリエステル（ポリエチレンテレフタレート、ポリブチレンテレフタレート、ポリエチレンナフタレート、ポリ乳酸等）、ポリアミド（ナイロン−６、ナイロン−６６、ポリメタキシレンアジパミド等）等の熱可塑性樹脂を用いることができる。
【００２６】
これら熱可塑性樹脂の中でも、ポリオレフィン、例えば、エチレン、プロピレン、ブテン−１、ヘプテン−１、ヘキセン−１、オクテン−１、４−メチル−ペンテン−１等のα−オレフィンの単独重合体、若しくは異なるα−オレフィンの共重合体が好ましい。このようなポリオレフィンとしては、具体的には、高圧法低密度ポリエチレン（ＨＰ−ＬＤＰＥ）、直鎖状あるいは線状低密度ポリエチレン（ＬＬＤＰＥ）、中密度ポリエチレン（ＭＤＰＥ）及び高密度ポリエチレン（ＨＤＰＥ）等のエチレン系重合体、プロピレン単独重合体及びプロピレン・α−オレフィンランダム共重合体等のプロピレン系重合体、ポリ４−メチル・１−ペンテン、ポリブテン等が挙げられる。
更に、ポリオレフィンの中でも、エチレン系重合体又はプロピレン系重合体が、延伸性に優れ、形状保持性が良好なフィラメントが得られる点で好ましく、特に中密度ポリエチレン及び高密度ポリエチレンが、軽量で且つ耐候性に優れている点で好ましい。
【００２７】
線状の形状保持材８の太さは、フラップ部を一時的に所望の形状に保持できると共に着用後の違和感を低減させる観点から、好ましくは断面積が０．０００２〜１．７ｍｍ2、更に好ましくは０．０１〜０．６ｍｍ2である。
【００２８】
このような構成を有する第１実施形態の展開型使い捨ておむつ１によれば、背側サイドフラップ部５Ｃに配された形状保持材が、線状の部材であり、背側サイドフラップ部５Ｃの幅方向に配されているため、展開型使い捨ておむつ１の着用時に、一対の背側サイドフラップ部５Ｃ，５Ｃを所望の形状に一時的に保持できる。また、形状保持材８が一対の背側サイドフラップ部５Ｃ，５Ｃの幅方向のほぼ全域に亘って配されると共に、該形状保持材８の一部が吸収性本体１０に接合されているため、一対の背側サイドフラップ部５Ｃ，５Ｃの形状がより保持しやすい。
【００２９】
従って、おむつの着用の際に一対の背側サイドフラップ部５Ｃ，５Ｃが折れたり、曲がったりしにくく、着用が容易である。また、形状保持材８として、線状の部材で、９０度折り曲げたときの戻り角度が１０度以下であるものを用いることにより、着用後の身体の動きに追従しやすく、形状保持材８による違和感が生じにくい。
ここで、所望の形状とは、吸収性物品が展開型使い捨ておむつである場合には、例えば図１に示すように、一対の背側サイドフラップ部５Ｃ，５Ｃが幅方向外方に平面状に開かれた形状や、一対の背側サイドフラップ部５Ｃ，５Ｃが表面シート２側に０°〜９０°折り曲げられた形状をいう。
【００３０】
また、吸収性物品が後述するように生理用ナプキンである場合には、所望の形状とは、展開型使い捨ておむつの場合とは逆に、例えば、一対のフラップ部が幅方向外方に平面状に開かれた形状や、一対のフラップ部が裏面シート３側に０°〜９０°折り曲げられた形状をいう。
また、形状保持材８の太さが、おむつの幅方向外方に向けて細くなっているため、背側サイドフラップ部５Ｃの両側部における柔軟性が増し、おむつ着用後の形状保持材８による違和感を一層軽減できる。
また、背側サイドフラップ部５Ｃに配された複数本の形状保持材８は、互いに連結されておらず、閉鎖構造を形成していないため、背側サイドフラップ部５Ｃの適度な柔軟性が失われず、着用時の違和感をより低減できる。
【００３１】
次に、第１実施形態の展開型使い捨ておむつ１に比して、背側サイドフラップ部５Ｃにおける形状保持材８の配置が異なる第２実施形態〜第６実施形態について説明する。第２実施形態〜第６実施形態は、背側サイドフラップ部５Ｃにおける形状保持材８の配置パターンが異なる以外は、第１実施形態の展開型使い捨ておむつと同様の構成を有している。また、第２実施形態〜第６実施形態においては、形状保持材８は、一対の背側サイドフラップ部５Ｃそれぞれに、おむつの縦中心線（図示せず）に対して線対称に配されている。第２実施形態〜第６実施形態については、それぞれ第１実施形態の吸収性物品と異なる点を説明し、同じ点について説明を省略する。
第２実施形態から第６実施形態の展開型使い捨ておむつ１においても、それぞれ第１実施形態の展開型使い捨ておむつ１と同様の効果が奏される。
【００３２】
第２実施形態の展開型使い捨ておむつ１においては、形状保持材８は、図４に示すように、一対の背側サイドフラップ部５Ｃ，５Ｃそれぞれに一本ずつ配されている。形状保持材８は、吸収性本体１０の側部における背側部Ｃ側の長手方向端部を起点として、おむつの幅方向外方に向けて幅方向に背側サイドフラップ部５Ｃの側縁部近傍まで延び、そこから背側サイドフラップ部５Ｃの側縁に沿って股下部Ｂに向けて背側部Ｃの縦方向中央部近傍まで延びている。そして、形状保持材８は、背側部Ｃの縦方向中央部近傍からおむつの幅方向内方に向けて幅方向に吸収性本体１０における吸収体４の側部まで延び、そこから股下部Ｂに向けておむつの長手方向に沿って背側部Ｃと股下部Ｂとの境界線近傍まで延び（ここでは吸収体４と重なっている）、そこからおむつの幅方向外方に向けて幅方向に背側サイドフラップ部５Ｃの側縁部近傍まで延びている。即ち、図４の展開型使い捨ておむつ１における左側の背側サイドフラップ部５Ｃに着目すると、形状保持材８はＳ字状に配されている。形状保持材８は、図４に示すように、背側部Ｃにおけるおむつの長手方向端部近傍及び背側部Ｃにおける股下部Ｂ側において吸収性本体１０と重なる部分を有している。
【００３３】
第２実施形態においては、形状保持材８は、該重なる部分の一部において吸収性本体１０と接合されているが、形状保持材８の全長が長いため、背側サイドフラップ部５Ｃにおいても接合されていることが好ましい。具体的には、Ｓ字状の形状保持材８は、Ｕ字状に曲がった領域において、吸収性本体１０の両側部および背側サイドフラップ部５Ｃ，５Ｃそれぞれの構成材料に接合されている。
【００３４】
第２実施形態の展開型使い捨ておむつ１によれば、一対の背側サイドフラップ部５Ｃ，５Ｃに配されている形状保持材８は、一対の背側サイドフラップ部５Ｃ，５Ｃの両側部においておむつの長手方向に延びる部分を有しているため、一対の背側サイドフラップ部５Ｃ，５Ｃをおむつの長手方向に対して一時的に保形することもできる。
また、一対の背側サイドフラップ部５Ｃ，５Ｃに配されている形状保持材８はそれぞれ一本ずつであるため、形状保持材８の端部が各背側サイドフラップ部５Ｃに２つずつとなり、形状保持材８の端部による着用時の違和感を生じにくくなる。
【００３５】
第３実施形態の展開型使い捨ておむつ１においては、形状保持材８は、図５に示すように、吸収性本体１０の側部における背側部Ｃ側の長手方向端部を起点として、おむつの幅方向外方に向けて幅方向に背側サイドフラップ部５Ｃの側縁部近傍まで延び、そこから背側サイドフラップ部５Ｃの側縁に沿って股下部Ｂに向けてファスニングテープ９の中央部近傍まで延び、そこからおむつの幅方向内方に向けて幅方向に吸収性本体１０における吸収体４の側部まで延びている。
【００３６】
そして、形状保持材８は、吸収性本体１０における吸収体４の側部から股下部Ｂに向けて幅方向内方に凸に湾曲するようにファスニングテープ９の下端部近傍まで延び、そこからおむつの幅方向外方に向けて幅方向に背側サイドフラップ部５Ｃの側縁部近傍まで延び、そこから背側サイドフラップ部５Ｃの側縁に沿って股下部Ｂに向けて背側部Ｃと股下部Ｂとの境界線近傍まで延び、そこからおむつの幅方向内方に向けて幅方向に吸収性本体１０における吸収体４の側部まで延びている。即ち、形状保持材８は、横向きにしたＷ字状に配されている。形状保持材８は、図５に示すように、背側部Ｃにおけるおむつの長手方向端部近傍、背側部Ｃにおけるおむつの長手方向中央部及び背側部Ｃにおける股下部Ｂ側において吸収性本体１０と重なる部分を有している。
【００３７】
第３実施形態においては、形状保持材８は、該重なる部分の一部において吸収性本体１０と接合されている。Ｗ字状の形状保持材８は、吸収性本体１０に重なる、Ｕ字状に曲がった部分及び／又は形状保持材８の両末端部が、吸収性本体１０の構成材料と固定されていることが好ましい。また、形状保持材８は、背側サイドフラップ部５Ｃの領域において、幅方向外側のＵ字状に曲がった部分が、背側サイドフラップ部５Ｃの構成材料と接合されていることが好ましい。
第３実施形態の展開型使い捨ておむつ１においても、第２実施形態と同様の効果が奏される。
【００３８】
第４実施形態の展開型使い捨ておむつ１においては、形状保持材８は、図６に示すように、吸収性本体１０の側部における背側部Ｃ側の長手方向端部を起点として、おむつの幅方向外方に向けて幅方向に背側サイドフラップ部５Ｃの側縁部近傍まで延び、そこから背側サイドフラップ部５Ｃの側縁に沿って股下部Ｂに向けて背側部Ｃと股下部Ｂとの境界線近傍まで延び、そこからおむつの幅方向内方に向けて幅方向に吸収性本体１０における吸収体４の側部まで延びている。即ち、図６の展開型使い捨ておむつ１における右側の背側サイドフラップ部５Ｃに着目すると、形状保持材８は「コ」の字状に配されている。形状保持材８は、図６に示すように、その股下部Ｂ側の端部が吸収体４と重なっているが、そのおむつ長手方向外方側の端部は、吸収体４と重なっていない。
【００３９】
第４実施形態においては、形状保持材８は、吸収性本体１０と重なっている両端部において吸収性本体１０の構成材料と接合されている。好ましくは、形状保持材８は、背側サイドフラップ部５Ｃ，５Ｃにおいて、Ｕ字状に曲がった部分の一部が、背側サイドフラップ部５Ｃ，５Ｃの構成材料に接合されている。
第４実施形態の展開型使い捨ておむつ１においても、第２実施形態と同様の効果が奏される。
【００４０】
第５実施形態の展開型使い捨ておむつ１においては、形状保持材８は、図７に示すように、吸収性本体１０の側部における背側部Ｃ側の長手方向端部近傍を起点として、おむつの幅方向外方に向けて幅方向に背側サイドフラップ部５Ｃの側縁まで延び、更に背側サイドフラップ部５Ｃとファスニングテープ９との接合部を跨ぎ、ファスニングテープ９まで延びている。形状保持材８は、ファスニングテープ９の上端から下端に向けて、ファスニングテープ９の周縁に沿って延び、ファスニングテープ９と背側サイドフラップ部５Ｃとの接合部を跨ぎ、背側サイドフラップ部５Ｃの側縁に沿って股下部Ｂに向けて、背側部Ｃと股下部Ｂとの境界線近傍まで延び、そこからおむつの幅方向内方に向けて幅方向に吸収性本体１０における吸収体４の側部まで延びている。ファスニングテープ９においては、形状保持材８は、ファスニングテープ９を構成する基材シート９１と面状の止着材９２との間に配されている。形状保持材８は、図７に示すように、その両端部が吸収性本体１０と重なっている。
【００４１】
第５実施形態においては、形状保持材８は、吸収性本体１０と重なっている両端部において吸収性本体１０の構成部材と接合されている。より好ましくは、ファスニングテープ９においてＵ字状に曲がった形状保持材８は、そのＵ字状に曲がった部分をファスニングテープ９の構成材料に接合することが好ましい。
第５実施形態の展開型使い捨ておむつ１においては、第２実施形態と同様の効果が奏されるのに加え、形状保持材８が、背側サイドフラップ部５Ｃからファスニングテープ９まで延びて配されているため、ファスニングテープ９の形状保持も可能となっている。
【００４２】
第６実施形態の展開型使い捨ておむつ１においては、形状保持材８は、図８に示すように、背側部Ｃの中央領域におむつの幅方向に平行に２本配されている。また、２本の形状保持材８それぞれは、展開型使い捨ておむつ１の背側部Ｃの幅方向全域に亘って延びており、更に、背側サイドフラップ部５Ｃとファスニングテープ９との接合部を跨ぎ、一対のファスニングテープ９にも配されている。
第６実施形態の展開型使い捨ておむつ１では、形状保持材８は、その全長において固定されている。詳細には、形状保持材８は、吸収性本体１０において、裏面シート３及び吸収体４の双方と接合されていてもよく、また裏面シート３又は吸収体４の何れか一方のみと接合されていてもよい。
【００４３】
更に形状保持材８を裏面シート３と吸収体４との間で挟み込み、おむつの着用時に形状保持材８がずれないように固定してもよい。この場合には、形状保持材８は、裏面シート３及び吸収体４とは接合されていなくてもよい。
第６実施形態の展開型使い捨ておむつ１においても、形状保持材８は、ファスニングテープ９まで延びて配されているため、ファスニングテープ９の形状保持も可能となっている。
【００４４】
次に、本発明の吸収性物品の第７実施形態について説明する。
第７実施形態は、本発明を生理用ナプキンに適用したものである。第７実施形態については、第１実施形態と異なる点を説明し、同じ点について説明を省略する。従って、前述した第１実施形態の使い捨ておむつについての説明が適宜適用される。
第７実施形態の生理用ナプキンにおいても、第１実施形態の使い捨ておむつと同様の効果が奏される。
【００４５】
第７実施形態の生理用ナプキン１は、図９に示すように、吸収性本体１０と、該吸収性本体１０の中央部Ｅの両側部に設けられた一対のフラップ部（以下、「中央フラップ部」ともいう）５１，５１と、該吸収性本体１０の後方部Ｆの両側部に設けられた一対のフラップ部（以下、「後方フラップ部」ともいう）５２，５２とを有する。
中央フラップ部５１は、着用時に下着のクロッチ部の外面側に折り曲げて生理用ナプキンを下着に固定するためのものであり、後方フラップ部５２は、折り返されることなく下着に固定されて使用されるものである。
【００４６】
吸収性本体１０は、図１０に示すように、液透過性の表面シート２、液不透過性又は撥水性の裏面シート３及び両シート２，３間に介在された液保持性の吸収体４を具備し、実質的に縦長に形成されている。
尚、中央部Ｅとは、着用時に着用者の排泄部に対向配置される生理用ナプキン１の長手方向中央部近傍の部位をいい、中央部Ｅよりも着用者の腹側に配される部位を前方部Ｄといい、中央部Ｅよりも着用者の背側に配される部位を後方部Ｆという。
【００４７】
表面シート２及び裏面シート３は、それぞれ吸収体４の肌当接面側及び非肌当接面側全面を覆っており、吸収体４の周縁よりも延出している。また、表面シート２は、図１０に示すように、その幅が裏面シート３よりも狭くなっている。吸収体４は、縦長の形状を有している。
【００４８】
吸収性本体１０には、図９に示すように、環状の防漏溝Ｇ１が形成されている。環状の防漏溝Ｇ１は、吸収性本体１０の両側部を前方部Ｄから後方部Ｆに亘って長手方向に沿って延びており、前方部Ｄの前端及び後方部Ｆの後端において繋がって環状となっている。後方部Ｆにおける防漏溝Ｇ１の幅方向内方には、後端に向けて延びる一対の後方溝Ｇ２が形成されている。一対の後方溝Ｇ２は中央部Ｅと後方部Ｆの境界近傍から後方に向けて延びており、防漏溝Ｇ１の後端よりも前方側において繋がっている。また、後方溝Ｇ２の前端は防漏溝Ｇ１と繋がっている。防漏溝Ｇ１及び後方溝Ｇ２は、表面シート２と吸収体４とが一体的に圧密化されて形成されている。
【００４９】
吸収性本体１０の長手方向両側部には、表面シート２を介して一対のサイドシート６２，６２が配されている。一対の該サイドシート６２，６２は、吸収性本体１０の肌当接面側の両側部を長手方向全域に亘って覆っている。一対のサイドシート６２，６２は、吸収性本体１０の両側部の幅方向外方において表面シート２と接合されている。一対のサイドシート６２，６２の内端は、図１０に示すように、自由端となっている。
【００５０】
表面シート２、サイドシート６２及び裏面シート３は、それぞれ吸収性本体１０の周縁部から外方に延出し、該周縁部の外方において、サイドシート６２と裏面シート３とが表面シート２を介して接合されている。
一対のサイドシート６２，６２及び裏面シート３は、中央部Ｅ及び後方部Ｆにおいて大きく幅方向外方に延出して互いに接合されており、中央部Ｅにおいて中央フラップ部５１を形成し、後方部Ｆにおいて後方フラップ部５２を形成している。中央フラップ部５１は、下底が吸収性本体１０の側部側に位置する略台形形状であり、後方フラップ部５２は、幅方向外方に凸に湾曲した略半円形状である。
【００５１】
形状保持材８は、中央フラップ部５１及び後方フラップ部５２にそれぞれ一本ずつ配されている。中央フラップ部５１において、形状保持材８は、中央フラップ部５１の周縁に沿って中央フラップ部５１の周縁形状を一回り小さくした形状に配されている。中央フラップ部５１に配された形状保持材８の両端は、吸収性本体１０における吸収体４と重なっており、吸収体４及び裏面シート３と接合されている。
【００５２】
後方フラップ部５２においても、形状保持材８は、後方フラップ部５２の周縁に沿って後方フラップ部５２の周縁形状を一回り小さくした形状に配されている。後方フラップ部５２に配された形状保持材８における中央部Ｅ側の端部は、吸収性本体１０における吸収体４と重なっており、吸収体４及び裏面シート３と接合されている。後方フラップ部５２に配された形状保持材８におけるナプキン長手方向外方側の端部は、吸収性本体１０における吸収体４がない領域と重なっており、表面シート２及び裏面シート３と接合されている。
【００５３】
次に、第７実施形態の生理用ナプキン１に比して、中央フラップ部５１及び後方フラップ部５２における形状保持材８の配置が異なる第８実施形態及び第９実施形態について説明する。第８実施形態及び第９実施形態については、中央フラップ部５１及び後方フラップ部５２における形状保持材８の配置パターンが異なる以外は、第７実施形態の生理用ナプキン１と同様の構成を有している。また、形状保持材８は、生理用ナプキン１の縦中心線（図示せず）に対して線対称に配されている。
【００５４】
第８実施形態の生理用ナプキン１においては、形状保持材８は、図１１に示すように、中央フラップ部５１及び後方フラップ部５２それぞれに、生理用ナプキン１の幅方向に平行に複数本配されている。複数本の形状保持材８それぞれの幅方向内方に位置する一端は、吸収性本体１０における吸収体４と重なっており、吸収体４及び裏面シート３と接合されている。また、複数本の形状保持材８それぞれの幅方向外方に位置する他端は、中央フラップ部５１及び後方フラップ部５２においてそれらの構成材料と接合されている。なお、複数本の形状保持材８は互いに連結されていない。
【００５５】
第９実施形態の生理用ナプキン１においては、中央フラップ部５１に配された形状保持材８は、図１２に示すように、中央フラップ部５１の後方部Ｆ側の側縁部近傍を起点として、生理用ナプキンの幅方向内方に向けて幅方向に吸収性本体１０における吸収体４の側部まで延び、そこから前方部Ｄに向けて長手方向に沿って幅方向内方に凸に湾曲するように中央部Ｅの長手方向中央部近傍まで延びている。そして、形状保持材８は、中央部Ｅの長手方向中央部近傍から生理用ナプキンの幅方向外方に向けて幅方向に中央フラップ部５１の側縁近傍まで延び、そこから前方部Ｄに向けて長手方向に沿って幅方向外方に凸に湾曲するように中央部Ｅと前方部Ｄとの境界線近傍まで延び、そこから生理用ナプキンの幅方向内方に向けて幅方向に吸収性本体１０における吸収体４の側部まで延びている。
【００５６】
後方フラップ部５２に配された形状保持材８は、吸収性本体１０の側部における生理用ナプキン１の後端側の長手方向端部を起点として、後方フラップ部５２の周縁に沿って後方フラップ部５２の長手方向中央部近傍まで延び、そこから生理用ナプキン１の幅方向内方に向けて幅方向に吸収性本体１０における吸収体４の側部まで延び、吸収性本体１０における吸収体４の側部において再び生理用ナプキン１の幅方向外方に向けて幅方向に後方フラップ部５２の側縁部近傍まで延び、そこから後方フラップ部５２の側縁に沿って中央部Ｅに向けて延びており、吸収性本体１０における吸収体４の側部まで延びている。各形状保持材８は、その端部およびＵ字状となる箇所において、吸収性本体１０、中央フラップ部５１又は後方フラップ部５２の構成材料に接合されている。
【００５７】
第１実施形態〜第９実施形態の吸収性物品における表面シート２、裏面シート３、吸収体４及びサイドシート６２としては、使い捨ておむつ、生理用ナプキン等の吸収性物品において従来から用いられているものを特に制限なく用いることができる。
【００５８】
本発明の吸収性物品は、前述した実施形態に制限されることなく、本発明の趣旨を逸脱しない限り適宜変更が可能である。
例えば、本発明を展開型使い捨ておむつに適用した場合には、形状保持材８は、腹側サイドフラップ部５Ａに設けることができる。
また、形状保持材８は、その太さが均一のものを用いてもよい。
また、形状保持材８は、フラップ部において、サイドシート６２及び裏面シート３とは接合されていなくてもよい。
本発明の吸収性物品は、展開型使い捨ておむつ、生理用ナプキンに制限されず、パンツ型使い捨ておむつ、失禁パッド等であってもよい。
【図面の簡単な説明】
【００５９】
【図１】図１は、本発明の吸収性物品の第１実施形態である展開型使い捨ておむつを示す平面図である。
【図２】図２は、図１に示すＸ−Ｘ線断面図である。
【図３】図３は、図１に示すＹ−Ｙ線断面図である。
【図４】図４は、本発明の第２実施形態の展開型使い捨ておむつを示す平面図である。
【図５】図５は、本発明の第３実施形態の展開型使い捨ておむつを示す平面図である。
【図６】図６は、本発明の第４実施形態の展開型使い捨ておむつを示す平面図である。
【図７】図７は、本発明の第５実施形態の展開型使い捨ておむつを示す平面図である。
【図８】図８は、本発明の第６実施形態の展開型使い捨ておむつを示す平面図である。
【図９】図９は、本発明の吸収性物品の第７実施形態である生理用ナプキンを示す平面図である。
【図１０】図１０は、図９に示すＺ−Ｚ線断面図である。
【図１１】図１１は、本発明の第８実施形態の生理用ナプキンを示す平面図である。
【図１２】図１２は、本発明の第９実施形態の生理用ナプキンを示す平面図である。
【符号の説明】
【００６０】
１  吸収性物品
１０  吸収性本体
２  表面シート
３  裏面シート
４  吸収体
５  フラップ部
５Ａ  腹側サイドフラップ部
５Ｃ  背側サイドフラップ部
５１  中央フラップ部
５２  後方フラップ部
６１  立体ギャザー形成用の弾性部材
６２  サイドシート
６３  固定部
６４  フラップ弾性部材
７  レッグフラップ
７１  レッグギャザー形成用の弾性部材
８  形状保持材
９  止着手段（ファスニングテープ）
【図１】
2008161527.tif 000003
【図２】
2008161527.tif 000004
【図３】
2008161527.tif 000005
【図４】
2008161527.tif 000006
【図５】
2008161527.tif 000007
【図６】
2008161527.tif 000008
【図７】
2008161527.tif 000009
【図８】
2008161527.tif 000010
【図９】
2008161527.tif 000011
【図１０】
2008161527.tif 000012
【図１１】
2008161527.tif 000013
【図１２】
2008161527.tif 000014